(57)【要約】【課題】サーバ内の情報をプリンタドライバが認識できるデータに確実に変換すること。【解決手段】携帯端末１５からサーバ内の情報を指定して、公衆プリンタにより前記情報を印刷する印刷管理システムにおいて、サーバ内の情報の形式とそれに対応した変換ソフトと前記変換ソフトの保持場所を示す参照テーブルを設けることで、前記印刷管理システム内に変換ソフトがない場合でも前記参照テーブルにより変換ソフトを保持している外部サーバを検索し、検索した外部サーバの変換ソフトに情報を送り変換データへと変換する。または前記外部サーバから前記変換ソフトを印刷管理システムに転送し、印刷管理システム内で転送された変換ソフトによって情報を変換データへと変換するデータ変換システム。【選択図】　　　　図１
2004038462.tif 000002
【特許請求の範囲】
【請求項１】
携帯端末からサーバにアクセスし、サーバ内の情報をサーバと接続された公衆プリンタにより印刷する印刷システムにおいて、前記情報を前記プリンタのドライバが認識可能な変換データへと変換する変換ソフトと前記情報の形式とを対応させた参照テーブルを保持し、前記参照テーブルは変換ソフトの保持アドレスを記憶しており、前記参照テーブルを基に前記情報を対応する変換ソフトに送り、変換データへと変換することを特徴とするデータ変換システム。
【請求項２】
携帯端末からサーバにアクセスし、サーバ内の情報をサーバと接続された公衆プリンタにより印刷する印刷システムにおいて、前記情報を前記プリンタのドライバが認識可能な変換データへと変換する変換ソフトと前記情報の形式とを対応させた参照テーブルを保持し、前記参照テーブルは変換ソフトの保持アドレスを記憶しており、前記参照テーブルを基に前記情報を対応する変換ソフトを前記印刷システムに送り、前記印刷システム内で送られた変換ソフトにより変換データへと変換することを特徴とするデータ変換システム。
【請求項３】
請求項１又は２に記載のデータ変換システムにおいて、前記情報のデータ容量と前記変換ソフトのデータ容量と転送速度とから前記印刷システム内の前記ドライバに変換データを送るまでの所要時間を算出し、前記所要時間を基に請求項１に記載のデータ変換システムと請求項２に記載のデータ変換システムを選択することを特徴とするデータ変換システム。
【請求項４】
請求項１又は２に記載のデータ変換システムにおいて、前記情報のデータ容量と前記変換ソフトのデータ容量を基に請求項１に記載のデータ変換システムと請求項２に記載のデータ変換システムを選択することを特徴とするデータ変換システム。
【請求項５】
携帯端末からサーバにアクセスし、サーバ内の情報をサーバと接続された公衆プリンタにより印刷する印刷システムにおいて、前記情報を前記印刷システムに送信したクライアントアドレスと前記情報の名前を記録する履歴テーブルを保持し、前記履歴テーブルを基に前記情報を送信元のクライアントの変換ソフトに送り、変換データへと変換することを特徴とするデータ変換システム。
【請求項６】
携帯端末からサーバにアクセスし、サーバ内の情報をサーバと接続された公衆プリンタにより印刷する印刷システムにおいて、前記情報を前記印刷システムに送信したクライアントアドレスと前記情報の名前を記録する履歴テーブルを保持し、前記履歴テーブルを基に前記情報を送信元のクライアントの変換ソフトを前記印刷システムに送り、前記印刷システム内で送られた変換ソフトにより変換データへと変換することを特徴とするデータ変換システム。
【請求項７】
請求項５又は６に記載のデータ変換システムにおいて、前記情報のデータ容量と前記変換ソフトのデータ容量と転送速度とから前記印刷システム内の前記ドライバに変換データを送るまでの所要時間を算出し、前記所要時間を基に請求項５に記載のデータ変換システムと請求項６に記載のデータ変換システムを選択することを特徴とするデータ変換システム。
【請求項８】
請求項５又は６に記載のデータ変換システムにおいて、前記情報のデータ容量と前記変換ソフトのデータ容量を基に請求項５に記載のデータ変換システムと請求項６に記載のデータ変換システムを選択することを特徴とするデータ変換システム。
【発明の詳細な説明】
【０００１】
【発明の属する技術分野】
本発明はデータ変換システムに関する。
【０００２】
【従来の技術】
画像、文字等を出力する装置としてプリンタがある。プリンタにはインクジェット方式、電子写真方式、熱転写方式、昇華方式等種々の方式が開発されている。また、これらのプリンタはシアン（Ｃ）、マゼンタ（Ｍ）、イエロー（Ｙ）の３色、またはこれら３色にブラック（Ｋ）を加えた４色、さらには淡シアン（ＬＣ）、淡マゼンタ（ＬＭ）、淡イエロー（ＬＹ）、淡ブラック（ＬＫ）という各色の淡い色を用いることによりカラーで記録することを可能としている。
【０００３】
従来、これらのプリンタはスタンドアロン形態で使用されたり、サーバを介して複数のクライアントが使用するネットワーク形態があった。これらは屋内での形態が主流であった。また、屋外形態として小型プリンタも開発されているが、ノート型ＰＣ等に単独で接続したスタンドアロン形態であった。
【０００４】
しかしながら近年、携帯電話やＰＤＡ（Ｐｅｒｓｏｎａｌ　Ｄｉｇｉｔａｌ（Ｄａｔａ）　Ａｓｓｉｓｔａｎｔｓ）に代表される携帯端末の普及に伴い、携帯端末からの印刷需要が急速に高まっている。そこで以下の件が提案されている。１．携帯端末を用いて公衆プリンタを検索する。
２．携帯端末からサーバの情報を公衆プリンタにより印刷する。
【０００５】
また、特開平１０−６３６０１号公報においてはサーバ内にあるプリントデータ作成手段により端末装置からの操作によりプリントデータを作成することが提案されている。
【０００６】
【発明が解決しようとする課題】
前記従来例１によって、携帯端末からサーバに接続された複数の公衆プリンタを検索することができ、前記従来例２によって、サーバの情報を公衆プリンタによって印刷することができる。しかしながら、サーバに種々のプリンタが接続されている場合、サーバの情報を前記種々のプリンタで印刷するにはそれぞれのプリンタに対応したドライバによりプリントデータを作成しなければならない。また、ドライバがプリントデータを作成する為にはアプリケーションソフトにより作成したファイルをＲＧＢデータ（変換データ）としてドライバが受け取る必要がある。よって、前記サーバの情報がアプリケーションソフトにより作成されたファイルであれば、前記アプリケーションソフト（変換ソフト）により変換データに変換しなければならない。また、特開平１０−６３６０１号公報の場合はプリントデータ作成手段を備えているが、あらゆる情報をプリントデータに変換するにはあらゆる情報に対応できるように変換ソフトを揃え、変換データに変換し、ドライバに送る必要がある。つまり、サーバが情報に対して対応する変換ソフトを保持していなければプリンタにより印刷することはできない。したがって、プリンタが印刷できるサーバの情報とは、サーバ内に対応する変換ソフトが存在する情報と既に変換データに変換されている情報、プリントデータとなっている情報に限られていた。
【０００７】
本発明は前記課題に鑑みてなされたものであり、前記サーバやプリンタを管理するプリンタサーバにより構成された印刷管理システム内に、サーバ内の情報（ファイル）の形式とそれに対応した変換ソフトを示し前記変換ソフトの保持場所を示す参照テーブルを設ける。またはサーバに送信されたファイル名と送信元アドレスを記録する履歴テーブルを設けることにより、前記印刷管理システム内に変換ソフトがない場合でも、前記参照テーブルまたは前記履歴テーブルにより変換ソフトを保持している外部サーバ、クライアントを検索し、検索した外部サーバまたはクライアントの変換ソフトにファイルを送り、変換データへと変換する。もしくは前記外部サーバまたはクライアントから前記変換ソフトを印刷管理システムに転送し、印刷管理システム内で転送された変換ソフトによって前記ファイルを変換データへと変換する。以上により、選択されたファイルは確実に変換データへと変換が行われ、ドライバにより変換データからプリントデータが作成され、プリンタによって印刷することのできるデータ変換システムを提供することを目的としている。
【０００８】
【課題を解決するための手段】
本発明は、上記課題を解決するために以下（１）〜（８）の構成を備えるものである。
【０００９】
（１）携帯端末からサーバにアクセスし、サーバ内の情報をサーバと接続された公衆プリンタにより印刷する印刷システムにおいて、前記情報を前記プリンタのドライバが認識可能な変換データへと変換する変換ソフトと前記情報の形式とを対応させた参照テーブルを保持し、前記参照テーブルは変換ソフトの保持アドレスを記憶しており、前記参照テーブルを基に前記情報を対応する変換ソフトに送り、変換データへと変換するデータ変換システム。
【００１０】
（２）携帯端末からサーバにアクセスし、サーバ内の情報をサーバと接続された公衆プリンタにより印刷する印刷システムにおいて、前記情報を前記プリンタのドライバが認識可能な変換データへと変換する変換ソフトと前記情報の形式とを対応させた参照テーブルを保持し、前記参照テーブルは変換ソフトの保持アドレスを記憶しており、前記参照テーブルを基に前記情報を対応する変換ソフトを前記印刷システムに送り、前記印刷システム内で送られた変換ソフトにより変換データへと変換するデータ変換システム。
【００１１】
（３）上記（１）又は（２）に記載のデータ変換システムにおいて、前記情報のデータ容量と前記変換ソフトのデータ容量と転送速度とから前記印刷システム内の前記ドライバに変換データを送るまでの所要時間を算出し、前記所要時間を基に請求項１に記載のデータ変換システムと請求項２に記載のデータ変換システムを選択するデータ変換システム。
【００１２】
（４）上記（１）又は（２）に記載のデータ変換システムにおいて、前記情報のデータ容量と前記変換ソフトのデータ容量を基に請求項１に記載のデータ変換システムと請求項２に記載のデータ変換システムを選択するデータ変換システム。
【００１３】
（５）携帯端末からサーバにアクセスし、サーバ内の情報をサーバと接続された公衆プリンタにより印刷する印刷システムにおいて、前記情報を前記印刷システムに送信したクライアントアドレスと前記情報の名前を記録する履歴テーブルを保持し、前記履歴テーブルを基に前記情報を送信元のクライアントの変換ソフトに送り、変換データへと変換するデータ変換システム。
【００１４】
（６）携帯端末からサーバにアクセスし、サーバ内の情報をサーバと接続された公衆プリンタにより印刷する印刷システムにおいて、前記情報を前記印刷システムに送信したクライアントアドレスと前記情報の名前を記録する履歴テーブルを保持し、前記履歴テーブルを基に前記情報を送信元のクライアントの変換ソフトを前記印刷システムに送り、前記印刷システム内で送られた変換ソフトにより変換データへと変換するデータ変換システム。
【００１５】
（７）上記（５）又は（６）に記載のデータ変換システムにおいて、前記情報のデータ容量と前記変換ソフトのデータ容量と転送速度とから前記印刷システム内の前記ドライバに変換データを送るまでの所要時間を算出し、前記所要時間を基に請求項５に記載のデータ変換システムと請求項６に記載のデータ変換システムを選択するデータ変換システム。
【００１６】
（８）上記（５）又は（６）に記載のデータ変換システムにおいて、前記情報のデータ容量と前記変換ソフトのデータ容量を基に請求項５に記載のデータ変換システムと請求項６に記載のデータ変換システムを選択するデータ変換システム。
【００１７】
【発明の実施の形態】
以下に本発明の実施の形態を、実施例に基づいて図面を参照しながら説明する。
【００１８】
【実施例１】
図１は携帯端末から遠隔操作によりサーバ内のファイルをサーバに接続したプリンタによって印刷する印刷管理システムの概要図を示している。
【００１９】
図１において、プリンタサーバ１０、変換サーバ１１、ＦＴＰサーバ１２、ＷＷＷサーバ１３は相互通信可能なネットワーク接続がなされている印刷管理システムである。クライアント１〜３は印刷管理システムと相互通信可能なネットワーク接続され、ユーザはクライアント１〜３によってＦＴＰサーバ１２に任意のファイルａ〜ｃを転送することが可能である。プリンタＡ〜Ｃは印刷管理システムと相互通信可能なネットワーク接続され、プリンタＡ〜Ｃのそれぞれはプリンタサーバ１０内のドライバＡ〜Ｃのそれぞれが作成するプリントデータに従って印刷を行うことができる。ユーザは携帯端末１５から印刷管理システムにアクセスして印刷管理システム内のファイルと印刷管理システムに接続されたプリンタを選択し、該選択ファイルは後述のテーブルにより選択された最適な変換ソフトによって、該選択プリンタに対応するドライバが認識可能なデータ（変換データ）に変換され、該データは該選択プリンタに対応するドライバによりプリントデータへ変換され、該選択プリンタにより印刷することができる。変換ソフトとは該ファイル形式を認識できるソフトであり、例えば該ファイルを作成するアプリケーションソフトである。
【００２０】
図９はユーザが携帯端末１５から印刷管理システムにアクセスし、選択ファイルを選択プリンタにより印刷するまでのフローチャートを示している。
【００２１】
Ｓｔｅｐ１としてユーザは携帯端末１５から印刷管理システムにアクセスする。
【００２２】
Ｓｔｅｐ２としてユーザは携帯端末１５上から印刷管理システムに保存されているファイルから印刷するファイルを選択する。また、印刷管理システムに接続されているプリンタから印刷に使用するプリンタを選択する。
【００２３】
Ｓｔｅｐ３として印刷管理システムは該選択ファイルの形式を基に該選択ファイルのデータを該選択プリンタに対応するドライバが認識可能なデータに変換する為の変換ソフトを決定する。図７はファイル拡張子と対応する変換ソフト名を示す参照テーブルを示している。印刷管理システムでは、該テーブルに従って該選択ファイルの拡張子から対応する変換ソフトを決定することができる。また、ここでは変換ソフトをファイルの拡張子と対応付けたテーブルにより決定するとしたが、ファイルのヘッダーにより決定しても良く、何らかのファイルの形式と変換ソフトが対応付けられたテーブルであれば良い。
【００２４】
Ｓｔｅｐ４としてＳｔｅｐ３で決定した変換ソフトが印刷管理システム内（変換サーバ１１内）にあるか確認を行う。図７に示した該テーブルは変換ソフトがある場所を変換サーバ１１内と変換サーバ１１外とに分類して持っており、該テーブルを参照することにより、変換ソフトが印刷管理システム内にあるか確認することができる。
【００２５】
Ｓｔｅｐ５としては変換ソフトが変換サーバ１１内にあるか変換サーバ１１外にあるかで処理が異なる。
【００２６】
Ｓｔｅｐ４において変換ソフトが変換サーバ１１内にある場合は、Ｓｔｅｐ５として変換サーバ１１内の変換ソフトによって、該選択ファイルから変換データを作成する。その後、Ｓｔｅｐ６として該選択プリンタに対応するドライバにより変換データからプリントデータを作成し、Ｓｔｅｐ７として該選択プリンタがプリントデータに従って印刷を行う。
【００２７】
図２は印刷管理システム内に変換ソフトがある場合、ファイルが変換ソフト、ドライバ、プリンタを通して印刷されるまでを説明する図である。印刷管理システム内のＦＴＰサーバ１２にあるファイルから、印刷管理システム内の変換サーバに対応する変換ソフトを持つファイルａ、ファイルｂ、ファイルｃを選択してプリンタＡを使って印字する場合、それぞれ変換サーバ１１内の変換ソフトａ、変換ソフトｂ、変換ソフトｃによって変換データａ、変換データｂ、変換データｃにデータ変換を行う。次に変換データａ、変換データｂ、変換データｃはプリンタサーバ１０内のドライバＡによって、プリントデータＡ−ａ、プリントデータＡ−ｂ、プリントデータＡ−ｃに変換され、プリンタＡによって出力Ａ−ａ、出力Ａ−ｂ、出力Ａ−ｃとして印刷される。
【００２８】
変換サーバ１１内にない場合は、Ｓｔｅｐ５−１として該当する変換ソフトが外部サーバ１４にあるか図７のテーブルを参照して、検索する。外部サーバ１４にある場合、変換の方法は次の２種類がある。１つは外部サーバ１４内の変換ソフトにファイルを転送して変換を行う方法。もう１つは外部サーバ１４から変換ソフトを印刷管理システムに転送して、印刷管理システム内で変換を行う方法である。これらの方法はファイルのデータ容量、変換ソフトのデータ容量と転送速度によりドライバに変換データを送るまでの所要時間を算出して、より短い所要時間の方法を選択するようにしても良い。また、ファイルのデータ容量、変換ソフトのデータ容量により選択するようにしても良い。
【００２９】
外部サーバ１４内の変換ソフトにファイルを転送して変換を行う方法を図９のフローチャートに従って説明する。図９のＳｔｅｐ５−１−１では外部サーバ１４内の変換ソフトに印刷するファイルを転送する。Ｓｔｅｐ５−１−１−１において外部サーバ１４内の変換ソフトにより変換データを作成し、印刷管理システムに変換データを転送する。Ｓｔｅｐ６において前記変換データから印刷するプリンタのドライバによりプリントデータを作成し、Ｓｔｅｐ７として選択プリンタがプリントデータに従って印刷を行う。
【００３０】
図３は外部サーバ１４内の変換ソフトにファイルを転送して変換を行う方法を説明する図である。印刷管理システム内のＦＴＰサーバ１２内のファイルｘをプリンタＡにより印刷する場合、ファイルｘは外部サーバ１４の変換ソフトｘに転送される。この変換ソフトｘによりファイルｘは変換データｘへと変換される。変換データｘは外部サーバ１４から印刷管理システムのプリンタサーバ１０にあるドライバＡに送られ、ドライバＡは変換データｘからプリントデータＡ−ｘを作成し、プリンタＡによって出力Ａ−ｘが印刷される。
【００３１】
外部サーバ１４から変換ソフトを印刷管理システムに転送して、印刷管理システム内で変換を行う方法を図９のフローチャートに従って説明する。図９のＳｔｅｐ５−１−２では外部サーバ１４から印刷管理システム内の変換サーバ１１に変換ソフトを転送する。Ｓｔｅｐ５−１−２−１において転送された変換ソフトにより印刷管理システム内でファイルを変換データへと変換する。Ｓｔｅｐ６において前記変換データから印刷するプリンタのドライバによりプリントデータを作成し、Ｓｔｅｐ７として選択プリンタがプリントデータに従って印刷を行う。
【００３２】
図４は外部サーバ１４から変換ソフトを印刷管理システムに転送して、印刷管理システム内で変換を行う方法を説明する図である。印刷管理システム内のＦＴＰサーバ１２内のファイルｘをプリンタＡにより印刷する場合、外部サーバ１４から変換ソフトｘを印刷管理システム内の変換サーバ１１に転送する。ファイルｘは転送された変換ソフトｘにより変換データｘへと変換される。変換データｘは印刷管理システムのプリンタサーバ１０にあるドライバＡに送られ、ドライバＡは変換データｘからプリントデータＡ−ｘを作成し、プリンタＡによって出力Ａ−ｘが印刷される。
【００３３】
以上説明したように、選択されたファイルはその形式を基に参照テーブルによって、変換ソフトが選択される。また参照テーブルにより変換ソフトがある場所が判別され、印刷管理システム内にあれば、印刷管理システム内で変換を行う。印刷管理システム外の外部サーバにあれば、外部サーバにファイルを送り変換を行う、もしくは外部サーバから印刷管理システムに変換ソフトを送り印刷管理システム内で変換を行う。選択されたファイルは確実に変換データへと変換が行われ、ドライバにより変換データからプリントデータが作成され、プリンタによって印刷される。
【００３４】
【実施例２】
実施例１では印刷管理システム内に変換ソフトがない場合、外部サーバが保持している変換ソフトを利用するが、本実施例では印刷管理システムに印刷目的のファイルを転送したクライアントが保持する前記ファイルを作成したアプリケーションソフト（変換ソフトを）を利用する。
【００３５】
図１０はユーザが携帯端末１５から印刷管理システムにアクセスし、選択ファイルを選択プリンタにより印刷するまでの本実施例のフローチャートを示している。
【００３６】
Ｓｔｅｐ０としてクライアントからファイルが印刷目的のファイルが印刷管理システムに転送される。この際印刷管理システムでは送信ファイル名と送信元（クライアント）アドレスを図８に示す履歴テーブルとして記録する。
【００３７】
Ｓｔｅｐ１としてユーザは携帯端末１５から印刷管理システムにアクセスする。
【００３８】
Ｓｔｅｐ２としてユーザは携帯端末１５上から印刷管理システムに保存されているファイルから印刷するファイルを選択する。また、印刷管理システムに接続されているプリンタから印刷に使用するプリンタを選択する。
【００３９】
Ｓｔｅｐ３として印刷管理システムは該選択ファイルの形式を基に該選択ファイルのデータを該選択プリンタに対応するドライバが認識可能なデータに変換する為の変換ソフトを決定する。図７はファイル拡張子と対応する変換ソフト名を示す参照テーブルを示している。印刷管理システムでは、該テーブルに従って該選択ファイルの拡張子から対応する変換ソフトを決定することができる。また、ここでは変換ソフトをファイルの拡張子と対応付けたテーブルにより決定するとしたが、ファイルのヘッダーにより決定しても良く、何らかのファイルの形式と変換ソフトが対応付けられたテーブルであれば良い。
【００４０】
Ｓｔｅｐ４としてＳｔｅｐ３で決定した変換ソフトが印刷管理システム内（変換サーバ１１内）にあるか確認を行う。図７に示した該テーブルは変換ソフトが変換サーバ１１内にあるかをどうかの情報も保持しており、該テーブルを参照することにより、変換ソフトが印刷管理システム内にあるか確認することができる。
【００４１】
Ｓｔｅｐ４において変換ソフトが変換サーバ１１内にある場合は、Ｓｔｅｐ５として変換サーバ１１内の変換ソフトによって、該選択ファイルから変換データを作成する。その後、Ｓｔｅｐ６として該選択プリンタに対応するドライバにより変換データからプリントデータを作成し、Ｓｔｅｐ７として該選択プリンタがプリントデータに従って印刷を行う。
【００４２】
Ｓｔｅｐ４において変換ソフトが変換サーバ１１内にない場合は、Ｓｔｅｐ５−２として印刷するファイルの送信元クライアントアドレスをＳｔｅｐ０において記録した履歴テーブルより検索する。検索後、変換の方法は次の２種類がある。１つは送信元のクライアントの変換ソフトにファイルを転送して変換を行う方法。もう１つは送信元のクライアントから変換ソフトを印刷管理システムに転送して、印刷管理システム内で変換を行う方法である。これらの方法はファイルのデータ容量、変換ソフトのデータ容量と転送速度によりドライバに変換データを送るまでの所要時間を算出して、より短い所要時間の方法を選択するようにしても良い。また、ファイルのデータ容量、変換ソフトのデータ容量により選択するようにしても良い。
【００４３】
送信元のクライアントの変換ソフトにファイルを転送して変換を行う方法を図１０のフローチャートに従って説明する。Ｓｔｅｐ５−２−１では印刷するファイルの送信元であるクライアントの変換ソフトに印刷するファイルを転送する。Ｓｔｅｐ５−２−１−１においてクライアントの変換ソフトによりファイルを変換データに変換し、変換データを印刷管理システムに転送する。Ｓｔｅｐ６において前記変換データから印刷するプリンタのドライバによりプリントデータを作成し、Ｓｔｅｐ７として選択プリンタがプリントデータに従って印刷を行う。
【００４４】
図５は送信元のクライアントの変換ソフトにファイルを転送して変換を行う方法を説明する図である。印刷されるファイルｘはファイルｘの送信元であるクライアント内の変換ソフトｘに転送され、変換ソフトｘにより変換データｘに変換された後、印刷管理システム内のプリンタサーバ１０内のドライバＡに送られ、ドライバＡにより変換データｘからプリントデータｘが作成され、プリンタＡによって出力Ａ−ｘとして印刷される。
【００４５】
送信元のクライアントから変換ソフトを印刷管理システムに転送して、印刷管理システム内で変換を行う方法を図１０のフローチャートに従って説明する。Ｓｔｅｐ５−２−２では印刷するファイルの送信元であるクライアントの変換ソフトを印刷管理システムの変換サーバ１１に転送する。Ｓｔｅｐ５−２−２−１において転送された変換ソフトにより印刷するファイルを変換データに変換する。Ｓｔｅｐ６において前記変換データから印刷するプリンタのドライバによりプリントデータを作成し、Ｓｔｅｐ７として選択プリンタがプリントデータに従って印刷を行う。
【００４６】
図６は送信元のクライアントから変換ソフトを印刷管理システムに転送して、印刷管理システム内で変換を行う方法を説明する図である。印刷されるファイルｘの送信元であるクライアントから変換ソフトｘを印刷管理システム内の変換サーバ１１に転送し、ファイルｘは印刷管理システム内の変換ソフトｘにより変換データｘに変換され、ドライバＡにより変換データｘからプリントデータｘが作成され、プリンタＡによって出力Ａ−ｘとして印刷される。
【００４７】
以上説明したように、選択されたファイルはその形式を基に参照テーブルによって、変換ソフトが選択される。また参照テーブルにより変換ソフトが印刷管理システム内にあるかないか判別され、印刷管理システム内にあれば印刷管理システム内で変換を行う。印刷管理システム内に変換ソフトがない場合は、履歴テーブルにより選択されたファイルの送信元クライアントアドレスを検索し、送信元クライアントの変換ソフトにファイルを送り変換を行う、もしくは送信元クライアントから印刷管理システムに変換ソフトを送り印刷管理システム内で変換を行う。選択されたファイルは確実に変換データへと変換が行われ、ドライバにより変換データからプリントデータが作成され、プリンタによって印刷される。
【００４８】
【発明の効果】
以上説明したように、選択されたファイルはその形式を基に参照テーブルによって、変換ソフトが選択される。また参照テーブルにより変換ソフトが印刷管理システム内にあるかないか判別され、印刷管理システム内にあれば印刷管理システム内で変換を行う。印刷管理システム内に変換ソフトがない場合は、参照テーブルによって印刷管理システム外の外部サーバにあれば、外部サーバにファイルを送り変換を行う、もしくは外部サーバから印刷管理システムに変換ソフトを送り印刷管理システム内で変換を行う。また、履歴テーブルにより選択されたファイルの送信元クライアントアドレスを検索し、送信元クライアントの変換ソフトにファイルを送り変換を行う、もしくは送信元クライアントから印刷管理システムに変換ソフトを送り印刷管理システム内で変換を行う。選択されたファイルは確実に変換データへと変換が行われ、ドライバにより変換データからプリントデータが作成され、プリンタによって印刷される。
【図面の簡単な説明】
【図１】本発明の印刷システムを説明する概要図
【図２】印刷管理システム内に変換ソフトがある場合のファイルが印刷されるまでの処理を説明する図
【図３】外部サーバ内に変換ソフトがある場合のファイルが印刷されるまでの処理を説明する図
【図４】外部サーバ内に変換ソフトがある場合のファイルが印刷されるまでの図３とは別の処理を説明する図
【図５】クライアント内に変換ソフトがある場合のファイルが印刷されるまでの処理を説明する図
【図６】クライアント内に変換ソフトがある場合のファイルが印刷されるまでの図５とは別の処理を説明する図
【図７】ファイル形式と対応する変換ソフトを示す参照テーブルを説明する図
【図８】送信ファイル名と送信元クライアントアドレスを記録した履歴テーブルを説明する図
【図９】携帯端末から印刷管理システムにアクセスし、印刷するまでの処理の流れを説明するフローチャート
【図１０】携帯端末から印刷管理システムにアクセスし、印刷するまでの図９とは別の処理の流れを説明するフローチャート
【符号の説明】
１０　プリンタサーバ
１１　変換サーバ
１２　ＦＴＰサーバ
１３　ＷＷＷサーバ
１４　外部サーバ
１５　携帯端末
【図１】
2004038462.tif 000003
【図２】
2004038462.tif 000004
【図３】
2004038462.tif 000005
【図４】
2004038462.tif 000006
【図５】
2004038462.tif 000007
【図６】
2004038462.tif 000008
【図７】
2004038462.tif 000009
【図８】
2004038462.tif 000010
【図９】
2004038462.tif 000011
【図１０】
2004038462.tif 000012